(57)【要約】【課題】双方向コツ塔g゛ライハ゛へのテ゛ータの入力端子と出力端子を固定し、しかもLCDハ゜ネル実装後においてもテ゛ータのシフト方向を変更可能にした液晶駆動用ト゛ライハ゛及びそのト゛ライフ゛方法を提供すること。【解決手段】制御信号にて制御されるシフト方向に応じて、入出力の関係が逆転可能な第1,第2の入出力端子DYIO1，DYIO2を備えた双方向コツ塔g゛ライハ゛13とは別に、入力テ゛ータを入力する入力端子11と、出力テ゛ータを出力する出力端子12とを設け、さらに入力端子11からの入力テ゛ータを第1,第2の入出力端子の一方に選択的に入力する入力切換え手段(14,15) と、第1,第2の入出力端子のうち前記入力切換え手段にて入力テ゛ータが入力される一方の入出力端子とは異なるもう一方の入出力端子から出力される出力テ゛ータを出力端子12に選択的に導いて出力する出力選択手段16と、を設ける構成としたので、テ゛ータの入力端子と出力端子を固定し、制御信号内容を変えるだけで双方向コツ塔g゛ライハ゛13のシフト方向の変更を容易に行える。【選択図】    図１
2004198928.tif 000002
【特許請求の範囲】
【請求項１】
入力データを入力する入力端子と、
出力データを出力する出力端子と、
制御信号にて制御されるシフト方向に応じて、入出力の関係が逆転可能な第１，第２の入出力端子を備えた双方向コモンドライバと、
前記入力端子と前記双方向コモンドライバの第１，第２の入出力端子との間に設けられ、前記入力端子からの入力データを前記第１，第２の入出力端子の一方に選択的に入力する入力切換え手段と、
前記双方向コモンドライバの第１，第２の入出力端子と前記出力端子との間に設けられ、前記第１，第２の入出力端子のうち前記入力切換え手段にて前記入力データが入力される一方の入出力端子とは異なるもう一方の入出力端子から出力される出力データを前記出力端子に選択的に導いて出力する出力選択手段と、
を具備したことを特徴とする液晶駆動用ドライバ。
【請求項２】
前記入力切換え手段は、前記入力端子と前記双方向コモンドライバの第１の入出力端子との間に設けられる第１のスイッチ手段と、前記入力端子と前記双方向コモンドライバの第２の入出力端子との間に設けられる第２のスイッチ手段とで構成され、制御信号にて制御されるシフト方向が第１の方向であるときは、前記第１のスイッチ手段がオンして、前記入力端子からの入力データを前記第１の入出力端子に入力し、制御信号にて制御されるシフト方向が第２の方向であるときは、前記第２のスイッチ手段がオンして、前記入力端子からの入力データを前記第２の入出力端子に入力し、
前記出力選択手段は、第１の入力端が前記双方向コモンドライバの第１の入出力端子に接続され、第２の入力端が前記双方向コモンドライバの第２の入出力端子に接続される２入力のセレクタ手段で構成され、制御信号にて制御されるシフト方向が第１の方向であるときは、前記セレクタ手段の第２の入力端が選択されて、前記第２の入出力端子からの出力データを前記出力端子に出力し、制御信号にて制御されるシフト方向が第２の方向であるときは、前記セレクタ手段の第１の入力端が選択されて、前記第１の入出力端子からの出力データを前記出力端子に出力する
ことを特徴とする請求項１記載の液晶駆動用ドライバ。
【請求項３】
入力データを入力する入力端子と、
出力データを出力する出力端子と、
制御信号にて制御される第１又は第２のシフト方向に応じて、入出力の関係が逆転可能な第１，第２の入出力端子を備えた双方向コモンドライバと、
前記入力端子からの入力データを前記第１，第２の入出力端子の一方に選択的に入力する入力切換え手段と、
前記入力切換え手段を介してデータ入力される前記第１，第２の入出力端子のうちの一方の入出力端子とは異なるもう一方の入出力端子から出力される出力データを前記出力端子に選択的に導く出力選択手段と、を備え、
制御信号にて制御されるシフト方向が第１の方向であるときは、前記入力端子からの入力データが前記双方向コモンドライバの第１の入出力端子に入力され、出力データが前記双方向コモンドライバの第２の入出力端子から前記出力端子に出力され、また、制御信号にて制御されるシフト方向が第２の方向であるときは、前記入力端子からの入力データが前記双方向コモンドライバの第２の入出力端子に入力され、出力データが前記双方向コモンドライバの第１の入出力端子から前記出力端子に出力されることを特徴とする液晶駆動用ドライバのドライブ方法。
【発明の詳細な説明】
【０００１】
【発明の属する技術分野】
本発明は、液晶駆動用ドライバ及びそのドライブ方法に関し、特に、双方向コモンドライバへのデータの入力端子と出力端子を固定し、しかもＬＣＤパネル実装後においてもデータのシフト方向を変更可能にした液晶駆動用ドライバ及びそのドライブ方法に関する。
【０００２】
【背景技術】
近年、携帯電話などのモバイル機器が普及している。このようなモバイル機器、特に携帯電話に使われる液晶パネル（以下、ＬＣＤパネルという）としては、単純マトリックス方式やアクティブマトリックス方式のものなどがある。単純マトリックス方式は画面の縦横に配置された電極によって画素を点灯させる方式であり、アクティブマトリックス方式は画素となる１つひとつの素子をオン／オフさせる方式である。
【０００３】
さらに、アクティブマトリックス方式には、各画素にトランジスタを搭載したＴＦＴ（Thin Film Transistorの略、薄膜トランジスタ）方式、各画素にダイオードを搭載したＴＦＤ（Thin Film Diodeの略、薄膜ダイオード）方式などがある。ＴＦＤ方式は、低消費電力でありながらＴＦＴ方式と同様なコントラスト及び色数が得られ、動画や自然な色を再現できるので、今後携帯電話などで広く使われると予想される。
【０００４】
ところで、上記のようなＬＣＤパネルをモバイル機器に実装する場合、図３に示すように筐体内にＬＣＤパネルのほかに、ＬＣＤパネルのセグメント電極に接続するセグメントドライバ（Ｘドライバとも呼ばれる。以下、ＳＥＧドライバと記す）Ｘ及びコモン電極に接続するコモンドライバ（Ｙドライバとも呼ばれる。以下、ＣＯＭドライバと記す）Ｙを配置する必要があるが、特に携帯電話などの場合、筐体面上におけるＬＣＤ表示面のレイアウトなどの関係で、ＬＣＤパネルに対してＳＥＧドライバＸはＬＣＤパネルの下側に、ＣＯＭドライバＹはＬＣＤパネルの左側（図３の実線にて示す） 又は右側（図３の２点鎖線にて示す） に配置することが多い。
【０００５】
ＬＣＤパネルを上から下へ走査して表示するためには、ＣＯＭドライバＹをＬＣＤパネルの左側に配置した場合、後に述べることから分るように、ＳＥＧドライバＸからの入力データは入出力端子DYIO1に入力する必要があり、ＣＯＭドライバＹを右側に配置すると、上下が反対となるので、ＳＥＧドライバＸからの入力データは入出力端子DYIO2に入力する必要がある。
【０００６】
従って、ＣＯＭドライバを左側，右側どちらに置いてもＬＣＤ表示をＬＣＤパネル上の上側から下側へ順次に走査できるようにするには、ＣＯＭドライバのシフト方向が逆転できる双方向性(シフトデータ出力線1→120，120→1への二方向性) であることが必要である。
【０００７】
このような必要性から、シフト方向を制御信号にて制御可能とし、シフト方向に応じて、入出力の関係が逆転可能な第１，第２の２つの入出力端子DYIO1，DYIO2を備えた双方向ＣＯＭドライバが開発されている。
【０００８】
図４(a) ，(b) は双方向ＣＯＭドライバ（ドライバＩＣ） を示している。双方向ＣＯＭドライバは、所定数（図では１２０個）のフリップフロップを有したシフトレジスタ回路（図示せず）を内蔵している。従って、双方向コモンドライバは１２０個のシフトレジスタ出力線1〜120を有している。
【０００９】
また、双方向ＣＯＭドライバは、制御信号SHFにて制御されるシフト方向に応じて、入出力の関係が逆転する第１，第２の入出力端子DYIO1，DYIO2を有している。
【００１０】
従って、図４(a)に示す第１の方向にシフトする場合は、制御信号SHFとして例えばハイレベル（以下、Ｈレベル）を双方向ＣＯＭドライバに与えることによって、第１の入出力端子DYIO1は入力データが入力する入力端子となり、第２の入出力端子DYIO2は出力データが出力する出力端子となる。
【００１１】
このときは、第１の入出力端子DYIO1に入力データが入力することによって双方向ＣＯＭドライバはデータシフト動作を開始し、シフトレジスタ出力線1から出力線120へ向う方向に順次にシフトデータ（ＬＣＤ走査用データに対応する）を出力し、出力線120までの一続きのデータシフトを完了したときに出力データを第２の入出力端子DYIO2から出力する。
【００１２】
図４(b)に示す第２の方向にシフトする場合は、制御信号SHFとして例えばローレベル（以下、Ｌレベル）を双方向ＣＯＭドライバに与えることによって、第１の入出力端子DYIO1は出力データが出力する出力端子となり、第２の入出力端子DYIO2は入力データが入力する入力端子となる。
【００１３】
このときは、第２の入出力端子DYIO2に入力データが入力することによって双方向ＣＯＭドライバはデータシフト動作を開始し、シフトレジスタ出力線120から出力線1へ向う方向に順次にシフトデータを出力し、出力線1までの一続きのデータシフトを完了したときに出力データを第１の入出力端子DYIO1から出力する。
【００１４】
【先行技術文献】
特開2002-040979号公報
【００１５】
【発明が解決しようとする課題】
しかしながら、上記の双方向ＣＯＭドライバでは、ＬＣＤパネルを機器筐体内に配置し、そのＣＯＭドライバをＬＣＤパネルの例えば左側に実装した場合（図３の実線の配置参照）、ＬＣＤパネルを上から下へ走査して表示するにはＳＥＧドライバＸからの入力データ（データシフト動作開始のきっかけを与えるデータ）を上側位置の第１の入出力端子DYIO1に与えるように配線することが必要である。従って、ＬＣＤパネル実装後は、ＳＥＧドライバからの入力データ位置を固定する関係で、ＣＯＭドライバのシフト方向は上から下の方向に固定されてしまい（だし図３の実線の配置の場合）、ＬＣＤパネル実装後にシフト方向を変更することは不可能であった。例えばＬＣＤパネルを下から上へ走査して表示したい場合には、ＳＥＧドライバＸからの入力データを第２の入出力端子DYIO2に入力するように配線を変えなければならず、ＬＣＤパネル実装後は不可能であった。
【００１６】
そこで、本発明は、上記の問題に鑑みてなされたもので、双方向ＣＯＭドライバへのデータの入力端子と出力端子を固定し、しかもＬＣＤパネル実装後においてもデータのシフト方向を変更可能にした液晶駆動用ドライバ及びそのドライブ方法を提供することを目的とする。
【００１７】
【課題を解決するための手段】
本発明による液晶駆動用ドライバは、入力データを入力する入力端子と、出力データを出力する出力端子と、制御信号にて制御されるシフト方向に応じて、入出力の関係が逆転可能な第１，第２の入出力端子を備えた双方向ＣＯＭドライバと、前記入力端子と前記双方向ＣＯＭドライバの第１，第２の入出力端子との間に設けられ、前記入力端子からの入力データを前記第１，第２の入出力端子の一方に選択的に入力する入力切換え手段と、前記双方向ＣＯＭドライバの第１，第２の入出力端子と前記出力端子との間に設けられ、前記第１，第２の入出力端子のうち前記入力切換え手段にて前記入力データが入力される一方の入出力端子とは異なるもう一方の入出力端子から出力される出力データを前記出力端子に選択的に導いて出力する出力選択手段と、を具備したものである。
【００１８】
本発明のこのような構成によれば、データの入力端子と出力端子を固定し、制御信号の指示を変えるだけでＣＯＭドライバのシフト方向の変更、入力切換え手段及び出力選択手段による入出力の切換えが行われる。これにより、ＬＣＤパネルを機器筐体内に実装した後であっても制御信号のみでシフト方向を容易に変更することができる。しかも、ＣＯＭドライバのデータ出力用としてデータ出力選択用の選択手段を設けてシフト方向に応じて一方の出力線のみを選択できるようにしているので、ＣＯＭドライバからの２つのデータ出力用配線のうち一方の機能していない出力線の出力（この出力は浮いた状態にある）が、もう一方の選択されて出力として機能している出力線に対して出力的にショートしてしまう不具合を防止することができる。
【００１９】
また、本発明において、前記入力切換え手段は、前記入力端子と前記双方向ＣＯＭドライバの第１の入出力端子との間に設けられる第１のスイッチ手段と、前記入力端子と前記双方向ＣＯＭドライバの第２の入出力端子との間に設けられる第２のスイッチ手段とで構成され、制御信号にて制御されるシフト方向が第１の方向であるときは、前記第１のスイッチ手段がオンして、前記入力端子からの入力データを前記第１の入出力端子に入力し、制御信号にて制御されるシフト方向が第２の方向であるときは、前記第２のスイッチ手段がオンして、前記入力端子からの入力データを前記第２の入出力端子に入力する構成とし、前記出力選択手段は、第１の入力端が前記双方向ＣＯＭドライバの第１の入出力端子に接続され、第２の入力端が前記双方向ＣＯＭドライバの第２の入出力端子に接続される２入力のセレクタ手段で構成され、制御信号にて制御されるシフト方向が第１の方向であるときは、前記セレクタ手段の第２の入力端が選択されて、前記第２の入出力端子からの出力データを前記出力端子に出力し、制御信号にて制御されるシフト方向が第２の方向であるときは、前記セレクタ手段の第１の入力端が選択されて、前記第１の入出力端子からの出力データを前記出力端子に出力する構成とすることが好ましい。
【００２０】
このような構成によれば、データの入力端子と出力端子を固定した状態で、制御信号で制御される双方向ＣＯＭドライバのシフト方向の切換えに同期して、第１，第２のスイッチ手段がそれぞれオン,オフ又はオフ,オンすると同時に、セレクタ手段により出力ラインの選択が適宜に行われて、入力切換え手段及び出力選択手段による入出力の切換えが容易に行われる。
【００２１】
また、本発明による液晶駆動用ドライバのドライブ方法は、入力データを入力する入力端子と、出力データを出力する出力端子と、制御信号にて制御される第１又は第２のシフト方向に応じて、入出力の関係が逆転可能な第１，第２の入出力端子を備えた双方向ＣＯＭドライバと、前記入力端子からの入力データを前記第１，第２の入出力端子の一方に選択的に入力する入力切換え手段と、前記入力切換え手段を介してデータ入力される前記第１，第２の入出力端子のうちの一方の入出力端子とは異なるもう一方の入出力端子から出力される出力データを前記出力端子に選択的に導く出力選択手段とを備え、制御信号にて制御されるシフト方向が第１の方向であるときは、前記入力端子からの入力データが前記双方向ＣＯＭドライバの第１の入出力端子に入力され、出力データが前記双方向ＣＯＭドライバの第２の入出力端子から前記出力端子に出力され、また、制御信号にて制御されるシフト方向が第２の方向であるときは、前記入力端子からの入力データが前記双方向ＣＯＭドライバの第２の入出力端子に入力され、出力データが前記双方向ＣＯＭドライバの第１の入出力端子から前記出力端子に出力されることを特徴としたものである。
【００２２】
本発明のこのようなドライブ方法によれば、データの入力端子と出力端子を固定し、制御信号の指示を変えるだけでＣＯＭドライバのシフト方向の変更、入力切換え手段及び出力選択手段による入出力の切換えが行われる。これにより、ＬＣＤパネルを実装後であっても制御信号のみでシフト方向を容易に変更することができる。しかも、ＣＯＭドライバのデータ出力用としてデータ出力選択用の選択手段を設けてシフト方向に応じて一方の出力線のみを選択できるようにしているので、ＣＯＭドライバからの２つのデータ出力用配線のうち一方の機能していない出力線の出力（この出力は浮いた状態にある）が、もう一方の選択されて出力として機能している出力線に対して出力的にショートしてしまう不具合を防止することができる。
【００２３】
【発明の実施の形態】
発明の実施の形態について図面を参照して説明する。
【００２４】
図１は本発明の一実施の形態の液晶駆動用ドライバを示すブロック図である。
【００２５】
図１に示す液晶駆動用ドライバ１０は、図示しないＳＥＧドライバから送られてくるデータシフト動作開始を示す入力データを入力する入力端子１１と、一連の（例えば１走査ライン分の）データシフト動作が完了したことを示す出力データを出力する出力端子１２と、図示しない制御回路から供給される制御信号SHFにて制御されるシフト方向に応じて、入出力の関係が逆転する第１，第２の入出力端子DYIO1，DYIO2を備えた双方向ＣＯＭドライバ１３と、前記入力端子１１と前記双方向ＣＯＭドライバ１３の第１，第２の入出力端子DYIO1，DYIO2との間に設けられ、前記入力端子１１からの入力データを前記第１，第２の入出力端子DYIO1，DYIO2の一方に選択的に入力することが可能な、第１，第２のスイッチ回路１４，１５で構成される入力切換え手段と、前記双方向ＣＯＭドライバ１３の第１，第２の入出力端子DYIO1，DYIO2と前記出力端子１２との間に設けられ、前記第１，第２の入出力端子DYIO1，DYIO2のうち前記入力切換え手段を介して前記入力データが入力される一方の入出力端子とは異なるもう一方の入出力端子から出力される出力データを前記出力端子１２に導いて出力することが可能な、２入力のセレクタ回路１６で構成される出力選択手段と、を有して構成されている。
【００２６】
そして、液晶駆動用ドライバ１０については、入力端子１１及び出力端子１２を有し、双方向ＣＯＭドライバ１３、第１，第２のスイッチ回路１４，１５及びセレクタ回路１６を１つのＩＣ回路として構成されることが好ましい。
【００２７】
前記双方向ＣＯＭドライバ１３は、図４に示した従来の双方向ＣＯＭドライバと同様のものであるが、これ以外の構成要素である、入力端子１１と、出力端子１２と、第１のスイッチ回路１４及び第２のスイッチ回路１５から成る入力切換え手段と、セレクタ回路１６から成る出力選択手段と、出力バッファ１７とは、本発明の実施の形態において新たに設けられたものである。
【００２８】
前記双方向ＣＯＭドライバ１３は、所定数（図では１２０個）のフリップフロップを有した図示しないシフトレジスタ回路を内蔵しており、各フリップフロップの出力端に接続した１２０個のシフトレジスタ出力線1〜120を有している。
【００２９】
前記双方向ＣＯＭドライバ１３は、図示しない制御回路から供給される制御信号SHFのＨ，Ｌレベルに応じて、第１，第２の入出力端子DYIO1，DYIO2の入出力の関係が前述したように逆転する。即ち、制御信号SHFがＨレベルのときは、第１の入出力端子DYIO1は入力データが入力する入力端子となり、第２の入出力端子DYIO2は出力データが出力する出力端子となる。制御信号SHFがＬレベルのときは、第１の入出力端子DYIO1は出力データが出力する出力端子となり、第２の入出力端子DYIO2は入力データが入力する入力端子となる。換言すれば、制御信号SHFのＨ，Ｌレベルに応じて、出力線1→120への第１のシフト方向と、出力線120→1への第２のシフト方向とが切り換わる。
【００３０】
前記入力切換え手段は、前記入力端子１１と前記双方向ＣＯＭドライバ１３の第１の入出力端子DYIO1との間に設けられて、制御信号SHFがＨレベルのときにオンする第１のスイッチ回路１４と、前記入力端子１１と前記双方向ＣＯＭドライバ１３の第２の入出力端子DYIO2との間に設けられて、制御信号SHFがＬレベルのときにオンする第２のスイッチ回路１５とで構成され、制御信号SHFがＨレベルであってシフト方向が第１の方向であるときは、前記第１のスイッチ回路１４がオンして、前記入力端子１１からの入力データを前記第１の入出力端子DYIO1に入力し、制御信号SHFがＬレベルであってシフト方向が第２の方向であるときは、前記第２のスイッチ回路１５がオンして、前記入力端子１１からの入力データを前記第２の入出力端子DYIO2に入力する。
【００３１】
前記出力選択手段は、前記双方向ＣＯＭドライバ１３の第１の入出力端子DYIO1に第１の入力端ａが接続され、前記双方向ＣＯＭドライバ１３の第２の入出力端子DYIO2に第２の入力端ｂが接続される２入力のセレクタ回路１６で構成され、制御信号SHFがＨレベルであってシフト方向が第１の方向であるときは、前記セレクタ回路１６の第２の入力端ｂが選択されて、前記第２の入出力端子DYIO2からの出力データを前記出力端子１２に出力し、制御信号SHFがＬレベルであってシフト方向が第２の方向であるときは、前記セレクタ回路１６の第１の入力端ａが選択されて、前記第１の入出力端子DYIO1からの出力データを前記出力端子１２に出力する。
【００３２】
なお、図１における、第１，第２のスイッチ回路１４，１５の各摺動片及びセレクタ回路１６の摺動片の動作位置を示す実線，点線は、実線同士、点線同士がそれぞれ制御信号SHFのＨ，Ｌレベルに対応している。
【００３３】
以上のように構成された液晶駆動用ドライバ１０では、制御信号SHFがＨレベルであるときは、双方向ＣＯＭドライバ１３のシフト方向が出力線1→120への第１の方向とされ、第１のスイッチ回路１４がオンされ、セレクタ回路１６の第１の入力端ａが選択されることで、図１の回路は図２(a)に示す構成と等価となり、図示しないＳＥＧドライバから入力端子１１に供給される入力データは前記双方向ＣＯＭドライバ１３の第１の入出力端子DYIO1に入力され、そして第２の入出力端子DYIO2から出力される出力データは出力端子１２に出力される。
【００３４】
また、制御信号SHFがＬレベルであるときは、双方向ＣＯＭドライバ１３のシフト方向が出力線120→1への第２の方向とされ、第２のスイッチ回路１５がオンされ、セレクタ回路１６の第２の入力端ｂが選択されることで、図１の回路は図２(b)に示す構成と等価となり、図示しないＳＥＧドライバから入力端子１１に供給される入力データは前記双方向ＣＯＭドライバ１３の第２の入出力端子DYIO2に供給され、そして第１の入出力端子DYIO1から出力される出力データは出力端子１２に出力される。
【００３５】
このようにして、データの入力端子と出力端子を固定し、制御信号の指示を変えるだけでＣＯＭドライバのシフト方向の変更、入力切換え手段及び出力選択手段による入出力の切換えを行える。これにより、ＬＣＤパネルを実装後であっても制御信号のみでシフト方向を容易に変更することができる。しかも、ＣＯＭドライバのデータ出力用としてデータ出力選択用の２入力のセレクタ回路を設けてシフト方向に応じて一方の出力線のみを選択できるようにしているので、ＣＯＭドライバからの２つのデータ出力用配線のうち一方の機能していない出力線の出力（この出力は浮いた状態にある）が、もう一方の選択されて出力として機能している出力線に対して出力的にショートしてしまう不具合を防止することができる。
【００３６】
本発明は、以上述べた実施の形態に限るものではなく、本発明の要旨を変えない範囲で各実施の形態を適宜変更して実施することができる。
【００３７】
【発明の効果】
以上述べたように本発明によれば、ＣＯＭドライバへのデータの入力端子と出力端子とをそれぞれ固定し、制御信号にてデータのシフト方向を双方向に変えることができる。従って、入力データを供給する配線の接続を変更することなく、ＬＣＤパネル実装後にシフト方向を変更することが可能となる。
【図面の簡単な説明】
【図１】本発明の一実施の形態の液晶駆動用ドライバを示すブロック図。
【図２】制御信号SHFがそれぞれＨ，Ｌレベルであるときの、図１の等価的な構成を示すブロック図。
【図３】モバイル機器の筐体内における、ＬＣＤパネル、ＳＥＧドライバ及びＣＯＭドライバの配置を説明する図。
【図４】双方向ＣＯＭドライバの入出力関係及びシフト方向を説明する図。
【符号の説明】
１１…入力端子
１２…出力端子
１３…双方向ＣＯＭドライバ
１４…第１のスイッチ回路
１５…第２のスイッチ回路
１６…セレクタ回路
【図１】
2004198928.tif 000003
【図２】
2004198928.tif 000004
【図３】
2004198928.tif 000005
【図４】
2004198928.tif 000006